(57)【要約】【課題】高齢者や人体に障害を持つ人が楽に園芸作業ができ、園芸療法の効果が高い園芸療法用デスクの提供を目的とする。【解決手段】園芸療法に用いる作業デスクであって、作業板と脚部とを備え、作業板は中央部よりに、プランターを据え付けるためのプランター載置凹部を有し、治療の対象者が椅子又は車椅子に座った状態で園芸作業ができるものであることを特徴とする。【選択図】  図１
2008142361.tif 000002
【特許請求の範囲】
【請求項１】
園芸療法に用いる作業デスクであって、
作業板と脚部とを備え、
作業板は中央部よりに、プランターを据え付けるためのプランター載置凹部を有し、治療の対象者が椅子又は車椅子に座った状態で園芸作業ができるものであることを特徴とする園芸療法用作業デスク。
【請求項２】
作業板又は／及び脚部は、主に間伐材で製作されていることを特徴とする請求項１記載の園芸療法用作業デスク。
【請求項３】
作業板の側部は、治療の対象者が座る位置に対応して内側に窪んだ凹部を形成してあることを特徴とする請求項１又は２記載の園芸療法用作業デスク。
【請求項４】
園芸植物育生用の照明装置を作業板から立設してあることを特徴とする請求項１〜３のいずれかに記載の園芸療法用作業デスク。
【発明の詳細な説明】
【技術分野】
【０００１】
本発明は、身体に障害のある人の機能回復や生活の質の向上を図るための園芸療法に用いる作業デスクに関する。
【背景技術】
【０００２】
植物等の園芸作業は人間の五感を刺激し、障害を持つ人の身体や心の健康を回復する効果があるといわれている。
また、高齢者においては草花や野菜の成長や収穫を楽しみ、会話をすることで血液の循環動態が改善され、生活の質が向上することも言われている。
これらの効果は、認知症の患者に対しても認められる。
【０００３】
特開２００４−１３３０９３号公報には、園芸療法システムに関する技術を開示するが、指導者の指導方法及びシステムに関するものであり、治療の対象者に対するものではない。
【０００４】
【特許文献１】特開２００４−１３３０９３号公報
【発明の開示】
【発明が解決しようとする課題】
【０００５】
本発明は上記背景技術に鑑みて、高齢者や人体に障害を持つ人が楽に園芸作業ができ、園芸療法の効果が高い園芸療法用デスクの提供を目的とする。
【課題を解決するための手段】
【０００６】
本発明に係る園芸療法用作業デスクは、園芸療法に用いる作業デスクであって、作業板と脚部とを備え、作業板は中央部よりに、プランターを据え付けるためのプランター載置凹部を有し、治療の対象者が椅子又は車椅子に座った状態で園芸作業ができるものであることを特徴とする。
ここで作業板とは、治療の対象者が作業板に向かって椅子又は車椅子に座り、中央部のプランターに植えた草花等の世話をしたり、これらの草花を見ながらお茶を飲んだり、お菓子をつまんで会話ができるテーブルとして使用できるものをいう。
また、中央部よりにプランターを載置する凹部を設けた趣旨は、治療対象者が車椅子に座った状態で手が届く距離であって、プランターの手前にお茶等を置くことができるスペースを有することをいう。
従って、プランターが作業台の中心に位置するものに限定されず、作業台の大きさに合わせて中央部よりに配置されていればよい。
【０００７】
作業板又は／及び脚部は主に間伐材で製作することができる。
杉の森林からの間伐材を用いると木材の利用を促進でき、環境にもやさしい。
また、作業板の側部に治療の対象者が座る位置に対応して内側に窪んだ凹部を形成してあるとデスクに向かって座りやすく園芸作業もしやすい。
車椅子に座った状態で園芸作業する場合には、このように作業台の側部が例えばアーチ状等に内側に窪んでいると作業がしやすく、また作業板の高さも脚部の長さを一般的なテーブルより長く設定して車椅子に座ったまま、治療対象者のひざが作業台の下にもぐり込むのがよい。
【０００８】
また、園芸植物育生用の照明装置を作業板から立設してあってもよい。
例えば、ＬＥＤからなる光源の照明装置を設けると昼間と夜間とで光の波長を調整したりして植物の成長を促進させる場合と、治療対象者が会話を楽しむ場合等に状況に合わせて照明の色合を変化させることもできる。
【発明の効果】
【０００９】
本発明に係る園芸療法用作業デスクにおいては、作業台の中央部よりにプランター載置凹部を設けたので治療の対象者に合わせて草花、野菜等の植物の異なるプランターを選定することができ、凹部の深さにより作業台からの植物の高さが低くなり座ったまま園芸作業がしやすく、作業台を囲む複数の治療対象者同士が会話等を楽しみながら作業できる。
【発明を実施するための最良の形態】
【００１０】
図１に本発明に係る園芸療法用作業デスク１０（以下、単に作業デスクと称する。）の使用例を示し、図２及び図３に作業デスクの平面図、正面図及びＡ−Ａ線断面図を示す。
図１に示すように作業デスク１０は、作業板１と脚部２からなり、作業デスク１０の中央部よりにプランター載置凹部を形成してここにプランター３を据え付けてある。
なお、プランター載置凹部の構造例は後述する。
作業板の大きさは、治療対象者５が少なくとも２人以上で園芸作業できる大きさが良く、作業板１の上面高さは、通常の椅子に座る場合には４５０〜５５０ｍｍ程度が良く、車椅子４に座って園芸作業する場合には６５０〜７５０ｍｍ程度が良い。
また車椅子の場合には、作業板の下に車椅子に座った状態でひざが入り込むようになっている。
図１に示すように、治療対象者５は作業板（作業台）の中央部よりに据え付けたプランターに植えてある植物の世話をできる距離でお茶やお菓子が置けるスペース１ａを有している。
【００１１】
図２及び図３に示した作業デスクの例では、作業板１は横材１４の上に、直角方向の複数の天板１１を並べてあり、作業板１の長手方向中央よりにプランター３を据え付けることができるように２枚の側板１２の下部に架材１３ａを取り付けてあるとともに、天板１１の一部を切り抜いてプランター載置凹部１ｂを形成し、凹部の底部には底板１３を有し、このプランター載置凹部の縁部１ｃにプランター３の周囲のつば部３ａが位置している。
また、プランター３をこのプランター載置凹部１ｂに据え付ける際に植物に与えた水の受け皿１５を設けてある。
図２に示した作業板１の例では、３つのプランター３を据え付けることができるようになっていて、約７５０ｍｍ×１８００ｍｍの大きさを有しているが、図４に示した例では、２つのプランターを据え付けるもので約７５０ｍｍ×１２００ｍｍの大きさになっている。
作業板１の長手方向側部に天板１１を切り込んで、内側にアーチ型に窪んだ凹部１ｄを形成し、凹部１ｄの上部はアーチ型に沿って面取り部１ｅを形成してある。
これにより、治療対象者は側部の凹部１ｄに入り込むようにして座ることで園芸作業がしやすく、体が作業板に触れても違和感が少ない。
なお、図２及び図３に示した例は作業板１の４箇所にアーチ型の凹部１ｄを設けた例を示したものであるが、その数は４つに限定されるものではない。
【００１２】
図３に示すように脚部２の横桟２ｂには、ストッパー２ｃ付のキャスター２ａが取り付けられていて作業デスクの移動が容易で、且つ、園芸作業時等には固定できるので治療対象者が安心して園芸作業やお茶を飲み、会話を楽しむことができる。
【００１３】
図５に示した例は、照明装置２０を取り付けた例であり、作業板１を構成する天板１１に支柱２１を差し込む孔とその下に支柱受け２１ａを設けて着脱自在に２本の支柱を立設し、この２本の支柱の間に横架材２２を取り付け、ＬＥＤからなる光源のランプ２３を吊り下げてある。
ＬＥＤ光源は容易に光の色合いを変化させることができるので、昼間と夜間、あるいは室内の明るさに合わせて調整できる。
【図面の簡単な説明】
【００１４】
【図１】本発明に係る園芸療法用作業デスクの使用状態を示す。
【図２】作業デスクの平面図（ａ）及び正面図（ｂ）を示す。
【図３】作業デスクのＡ−Ａ線断面図を示す。
【図４】２つのプランターを載置する例を示す。
【図５】作業デスクに照明装置を取り付けた例を示す。
【符号の説明】
【００１５】
１    作業板
２    脚部
３    プランター
４    車椅子
５    治療対象者
１０  作業デスク
【図１】
2008142361.tif 000003
【図２】
2008142361.tif 000004
【図３】
2008142361.tif 000005
【図４】
2008142361.tif 000006
【図５】
2008142361.tif 000007